(57)【要約】【課題】ソフトウェア制御方式を採用しなくても、充電表示ランプのオン／オフを制御することができる充電器表示ランプ回路を提供する。【解決手段】本発明に係る充電器表示ランプ回路は、充電電源に接続するための接続端子と、表示ランプを含む表示ランプモジュールと、接続端子が充電電源に接続された場合、第一応答信号を出力し、接続端子が充電電源に接続されない場合、第二応答信号を出力する電圧検出モジュールと、バッテリが充電条件を満たした場合、ローレベル信号を出力し、バッテリが充電条件を満たさない場合、ハイレベル信号を出力する充電チップと、充電チップがローレベル信号を出力し、電圧検出モジュールが第一応答信号を出力した場合、表示ランプをオンし、充電チップがハイレベル信号を出力し且つ／或いは電圧検出モジュールが第二応答信号を出力した場合、表示ランプをオフするスイッチとを備える。【選択図】図１
2013188130.tif 000002
【特許請求の範囲】
【請求項１】
バッテリの充電状態を示すための充電器表示ランプ回路において、
充電電源から電力を受け取るために用いられる前記充電電源に接続するための接続端子と、
前記バッテリが充電されている時にオンされ、前記バッテリが充電されていない時にオフされる表示ランプを備える表示ランプモジュールと、
前記接続端子が前記充電電源に接続された場合、第一応答信号を出力し、前記接続端子が前記充電電源に接続されない場合、第二応答信号を出力する電圧検出モジュールと、
前記バッテリが充電条件を満たした場合、ローレベル信号を出力し、前記バッテリが前記充電条件を満たさない場合、ハイレベル信号を出力する充電チップと、
前記表示ランプモジュールが所在する分流回路中に接続され、前記充電チップがローレベル信号を出力し、前記電圧検出モジュールが前記第一応答信号を出力した場合、前記表示ランプモジュールが所在する分流回路をオンし、これにより前記表示ランプをオンし、前記充電チップがハイレベル信号を出力し且つ／或いは前記電圧検出モジュールが前記第二応答信号を出力した場合、前記表示ランプモジュールが所在する分流回路をオフし、これにより前記表示ランプをオフするスイッチと、を備えることを特徴とする充電器表示ランプ回路。
【請求項２】
前記電圧検出モジュールは、前記充電電源の陽極とアースとの間に直列に接続されている第一抵抗及び第二抵抗を備え、前記第一抵抗と前記第二抵抗との間には、前記スイッチと接続するノードが形成され、前記接続端子が前記充電電源に接続された場合、前記充電電源の電圧は、前記第一抵抗及び前記第二抵抗によって分圧された後、ノードで電圧を形成し、これにより、前記電圧検出モジュールは、前記スイッチにハイレベル信号を出力し、前記接続端子が前記充電電源に接続されない場合、前記電圧検出モジュールは、前記スイッチにローレベル信号を出力することを特徴とする請求項１に記載の充電器表示ランプ回路。
【請求項３】
前記スイッチは、ＮＰＮ型バイポーラ接合トランジスタであり、前記ＮＰＮ型バイポーラ接合トランジスタのベースは、前記電圧検出モジュールに接続され、前記ＮＰＮ型バイポーラ接合トランジスタのコレクタは、前記表示ランプモジュールに接続され、前記ＮＰＮ型バイポーラ接合トランジスタのエミッタは、前記充電チップに接続され、前記電圧検出モジュールが前記スイッチにハイレベル信号を出力した場合、前記ＮＰＮ型バイポーラ接合トランジスタのベースはハイレベルにあり、前記バッテリが充電条件を満たした場合、前記充電チップは前記ＮＰＮ型バイポーラ接合トランジスタのエミッタにローレベル信号を出力し、これにより前記ＮＰＮ型バイポーラ接合トランジスタのベースの電圧は、そのエミッタの電圧より高いことにより前記ＮＰＮ型バイポーラ接合トランジスタはオンになり、即ち、前記スイッチは前記表示ランプモジュールが所在する分流回路をオンすることを特徴とする請求項２に記載の充電器表示ランプ回路。
【請求項４】
前記電圧検出モジュールがスイッチにローレベル信号を出力した場合、前記ＮＰＮ型バイポーラ接合トランジスタのベースはローレベルにあり、前記ＮＰＮ型バイポーラ接合トランジスタのベースの電圧は、そのエミッタの電圧より低いことにより前記ＮＰＮ型バイポーラ接合トランジスタはオフになり、即ち、スイッチは前記表示ランプモジュールが所在する分流回路をオフすることを特徴とする請求項３に記載の充電器表示ランプ回路。
【請求項５】
前記表示ランプモジュールは、表示ランプ、抵抗、及び電源を備え、前記表示ランプの一端は、抵抗を介して電源に接続され、その他端はスイッチに接続され、スイッチが前記表示ランプモジュールが所在する分流回路をオンした場合、表示ランプはオンされ、スイッチが前記表示ランプモジュールが所在する分流回路をオフした場合、表示ランプはオフされることを特徴とする請求項４に記載の充電器表示ランプ回路。
【発明の詳細な説明】
【技術分野】
【０００１】
本発明は、回路に関し、特に充電器表示ランプ回路に関するものである。
【背景技術】
【０００２】
従来の充電器表示ランプ回路は、一般的に、コントローラ内のソフトウェア制御方式によって、充電表示ランプのオン／オフを制御するが、このような充電器表示ランプ回路は、比較的複雑である。また、従来の充電器表示ランプ回路は、コントローラが常に作動状態にある必要があり、コントローラの電源がオフになっている場合、充電表示ランプのオン／オフを制御することはできない。
【発明の概要】
【発明が解決しようとする課題】
【０００３】
前記課題を解決するために、本発明は、ソフトウェア制御方式を採用しなくても、充電表示ランプのオン／オフを制御することができる充電器表示ランプ回路を提供する。
【課題を解決するための手段】
【０００４】
本発明に係る充電器表示ランプ回路は、バッテリの充電状態を示すために用いられ、充電電源から電力を受け取るために用いられる充電電源に接続するための接続端子と、バッテリが充電されている時にオンされ、バッテリが充電されていない時にオフされる表示ランプを備える表示ランプモジュールと、接続端子が充電電源に接続された場合、第一応答信号を出力し、接続端子が充電電源に接続されない場合、第二応答信号を出力する電圧検出モジュールと、バッテリが充電条件を満たした場合、ローレベル信号を出力し、バッテリが充電条件を満たさない場合、ハイレベル信号を出力する充電チップと、表示ランプモジュールが所在する分流回路（ｓｈｕｎｔ  ｃｉｒｃｕｉｔ）中に接続され、充電チップが、ローレベル信号を出力し、電圧検出モジュールが第一応答信号を出力した場合、表示ランプモジュールが所在する分流回路をオンし、これにより、表示ランプをオンし、充電チップが、ハイレベル信号を出力し且つ／或いは電圧検出モジュールが第二応答信号を出力した場合、表示ランプモジュールが所在する分流回路をオフし、これにより、表示ランプをオフするスイッチと、を備える。
【発明の効果】
【０００５】
従来の技術と比べ、本発明に係る充電器表示ランプ回路は、その接続端子が充電電源に接続され、また、バッテリが充電条件を満たした場合、電圧検出モジュールがスイッチをオンにするハイレベル信号を出力する。これにより、表示ランプをオンする。従って、コントローラのソフトウェア制御方式を採用して表示ランプのオン／オフを制御する必要はない。
【図面の簡単な説明】
【０００６】
【図１】本発明の実施形態に係る充電器表示ランプ回路のブロック図である。
【図２】本発明の実施形態に係る充電器表示ランプ回路の回路図である。
【発明を実施するための形態】
【０００７】
以下、図面を参照して、本発明の実施形態について説明する。
【０００８】
図１を参照すると、本発明の実施形態に係る充電器表示ランプ回路１は、接続端子１０と、電圧検出モジュール２０と、表示ランプモジュール３０と、及びスイッチ４０と、を備える。接続端子１０は、充電電源５０から電力を受け取るために用いられ、充電電源５０に接続されている。スイッチ４０は、充電チップ６０に接続され、且つ表示ランプモジュール３０が所在する分流回路中に位置し、表示ランプモジュール３０が所在する分流回路をオン／オフする。
【０００９】
充電チップ６０は、バッテリ７０の充電を管理する。バッテリ７０が充電条件を満たした場合、充電チップ６０はローレベル信号を出力するが、バッテリ７０が充電条件を満たさない場合、充電チップ６０はハイレベル信号を出力する。具体的には、バッテリ７０が充電条件を満たした場合、バッテリ７０は完全に充電されていない状態を示し、バッテリ７０が充電条件を満たさない場合、バッテリ７０が完全に充電されている状態を示す。
【００１０】
電圧検出モジュール２０は、接続端子１０が充電電源５０に接続されると、第一応答信号を出力する。スイッチ４０は、充電チップ６０がローレベル信号を生成し、且つ電圧検出モジュール２０が第一応答信号を生成すると、表示ランプモジュール３０と充電チップ６０との接続をオンにする。電圧検出モジュール２０は、接続端子１０が充電電源５０に接続されない場合、第二応答信号を出力する。スイッチ４０は、電圧検出モジュール２０が第二応答信号を生成する且つ／或いは充電チップ６０がハイレベル信号を生成すると、表示ランプモジュール３０と充電チップ６０との接続をオフにする。
【００１１】
図２を参照すると、前記接続端子１０は、アノード入力ポート１０１及びカソード入力ポート１０２を備え、該アノード入力ポート１０１及びカソード入力ポート１０２は、充電電源５０の陽極及び陰極にそれぞれ接続するために用いられる。電圧検出モジュール２０は、接続端子１０のアノード入力ポート１０１とアースとの間に直列に接続されている第一抵抗Ｒ１及び第二抵抗Ｒ２を備える。第一抵抗Ｒ１と第二抵抗Ｒ２との間には、ノードＮが形成され、該ノードＮは、スイッチ４０と接続される。接続端子１０が、充電電源５０に接続されると、該充電電源５０の電圧は、第一抵抗Ｒ１及び第二抵抗Ｒ２によって分圧された後、ノードＮで電圧Ｖ０を形成する。
【００１２】
表示ランプモジュール３０は、表示ランプ３０１、抵抗Ｒ３、及び電源３０２を備える。本実施形態において、表示ランプ３０１は、発光ダイオードＤ１である。該発光ダイオードＤ１のアノードは、電源３０２に接続され、発光ダイオードＤ１のカソードは、スイッチ４０に接続される。本実施形態において、発光ダイオードＤ１のアノードは、抵抗Ｒ３を介して電源３０２に接続される。
【００１３】
前記スイッチ４０は、高電圧アクティブスイッチ４０１である。本実施形態において、高電圧アクティブスイッチ４０１は、ＮＰＮ型バイポーラ接合トランジスタ（ＢＪＴ）Ｑ１である。該ＮＰＮ型バイポーラ接合トランジスタＱ１のベースは、第一抵抗Ｒ１と第二抵抗Ｒ２との間のノードＮに接続され、ＮＰＮ型バイポーラ接合トランジスタＱ１のコレクタは、発光ダイオードＤ１のカソードに接続され、ＮＰＮ型バイポーラ接合トランジスタＱ１のエミッタは、充電チップ６０に接続される。
【００１４】
接続端子１０が充電電源５０に接続されると、充電電源５０の電圧は、第一抵抗Ｒ１及び第二抵抗Ｒ２によって分圧された後、ノードＮで電圧Ｖ０を形成する。従って、電圧検出モジュール２０は、ＮＰＮ型バイポーラ接合トランジスタＱ１のベースにハイレベル信号を出力する。バッテリ７０が充電条件を満たした場合、ＮＰＮ型バイポーラ接合トランジスタＱ１のエミッタは、ローレベルにあり、ＮＰＮ型バイポーラ接合トランジスタＱ１のベースの電圧は、エミッタの電圧より高い。これにより、ＮＰＮ型バイポーラ接合トランジスタＱ１は、オンされるため、表示ランプ３０１が所在する分流回路もオンされる。これにより、表示ランプ３０１はオンになり、バッテリ７０が充電中であることを示す。
【００１５】
接続端子１０が充電電源５０に接続されない場合、電圧検出モジュール２０は、ＮＰＮ型バイポーラ接合トランジスタＱ１のベースにローレベル信号を出力する。従って、充電チップ６０が、ローレベル信号を出力する或いはハイレベル信号を出力するかどうかに関わらず、ＮＰＮ型バイポーラ接合トランジスタＱ１のベースの電圧は、エミッタの電圧より低い。従って、ＮＰＮ型バイポーラ接合トランジスタＱ１はオフになるため、表示ランプ３０１が所在する分流回路もオフになる。これにより、表示ランプ３０１はオフになり、バッテリ７０が充電されていないことを示す。
【００１６】
バッテリ７０が充電条件を満たしていない場合、充電チップ６０は、ＮＰＮ型バイポーラ接合トランジスタＱ１のエミッタにハイレベル信号を出力する。従って、接続端子１０が、充電電源５０に接続されるかどうかに関わらず、ＮＰＮ型バイポーラ接合トランジスタＱ１のベースの電圧は、エミッタの電圧より低い。これにより、ＮＰＮ型バイポーラ接合トランジスタＱ１は、オフになるため、表示ランプ３０１が所在する分流回路もオフになる。これにより、表示ランプ３０１はオフになる。
【００１７】
本発明の実施形態に係る充電器表示ランプ回路１は、その接続端子１０が、充電電源５０に接続され、また、バッテリ７０が充電条件を満たした場合、電圧検出モジュール２０が、スイッチ４０をオンにするハイレベル信号を出力する。これにより、表示ランプ３０１をオンする。従って、コントローラのソフトウェア制御方式を採用して表示ランプのオン／オフを制御する必要はない。
【符号の説明】
【００１８】
１  充電器表示ランプ回路
１０  接続端子
２０  電圧検出モジュール
３０  表示ランプモジュール
４０  スイッチ
５０  充電電源
６０  充電チップ
７０  バッテリ
１０１  アノード入力ポート
１０２  カソード入力ポート
３０１  表示ランプ
３０２  電源
４０１  高電圧アクティブスイッチ
【図１】
2013188130.tif 000003
【図２】
2013188130.tif 000004